(57)【特許請求の範囲】
【請求項１】
単一の筐体内に複数の冷媒回路を有する複回路形室内ユニットと、この複回路形室内ユニットの各冷媒回路にそれぞれ接続される複数の室外ユニットとを備える空気調和装置において、
前記室外ユニットは、それぞれ室外制御基板を備え、当該室外制御基板は、自ユニットが接続された前記冷媒回路のアドレスを取得し、このアドレスに従って、当該自ユニットが主ユニットもしくは従ユニットのいずれであるかを判別する判別プログラムと、前記自ユニットが従ユニットと判別された場合に、当該自ユニットの動作を前記主ユニットの動作と連動制御させるための制御プログラムとが格納された記憶部と、
前記判別プログラム及び制御プログラムをそれぞれ実行可能な制御部とを備え、
前記従ユニットと判別された前記室外ユニットの制御部は、前記主ユニットの動作を判別し、当該従ユニットの前記記憶部に記憶された前記制御プログラムによりこの主ユニットの動作と連動制御することを特徴とする空気調和装置。
【請求項２】
前記記憶部は、書き換え可能な不揮発性記憶部であることを特徴とする請求項１に記載の空気調和装置。
【請求項３】
前記従ユニットと判別された前記室外ユニットの制御部は、前記主ユニットがサーモオフした場合に、これに連動して前記自ユニットをサーモオフし、前記主ユニットがサーモオンした場合に、これに連動して前記自ユニットをサーモオンさせることを特徴とする請求項１または２に記載の空気調和装置。
【請求項４】
前記従ユニットと判別された前記室外ユニットの制御部は、前記主ユニットが除霜運転に移行した場合に、これに連動して前記自ユニットを除霜運転させることを特徴とする請求項１乃至３のいずれかに記載の空気調和装置。
【請求項５】
前記従ユニットと判別された前記室外ユニットの制御部は、前記主ユニットが異常警報により空調運転を停止した場合に、これに連動して前記自ユニットの空調運転を停止させることを特徴とする請求項１乃至４のいずれかに記載の空気調和装置。
【請求項６】
前記従ユニットと判別された前記室外ユニットの制御部は、前記主ユニットが外部から受信した電力デマンド情報に基づいて、空調運転を停止した場合に、これに連動して前記自ユニットの空調運転を停止させることを特徴とする請求項１乃至５のいずれかに記載の空気調和装置。
【発明の詳細な説明】
【技術分野】
【０００１】
本発明は、単一の筐体内に複数の冷媒回路が形成された複回路型室内ユニットを備える空気調和装置に関する。
【背景技術】
【０００２】
近年、大空間の冷暖房に供されるダクト形やプレナム形の空気調和装置では、室内ユニットの大容量化を図るべく、単一の筐体内に複数の冷媒回路が形成された複回路形室内ユニットが用いられることがある（例えば、特許文献１参照）。この種の空気調和装置では、室内ユニットの各冷媒回路に室外ユニットが個々に接続されるため、例えば、３０馬力の室外ユニットが２台接続されるものでは、室内ユニットの総容量を６０馬力とすることができる。また、各室外ユニットには、それぞれ独立した制御装置（コントロールユニット）が設けられ、当該室外ユニットは個別に制御可能となっている。
【先行技術文献】
【特許文献】
【０００３】
【特許文献１】特許第３７５４１６８号公報
【発明の概要】
【発明が解決しようとする課題】
【０００４】
ところで、この種の空気調和装置は、大店舗や大規模オフィスビル等の大空間に設置されるものであるため、各室外ユニットの運転は連動させることが望ましい。
この場合、室外ユニットの制御装置を、当該空気調和装置用に特別に改造し、室外ユニット同士を連動させることも可能であるが、この構成では、構成が煩雑となるとともに当該制御装置を備える室外ユニットを他の空気調和装置に転用することができず、生産コストが増加するといった問題がある。
【０００５】
本発明は、上述した事情に鑑みてなされたものであり、簡単な構成で複回路形室内ユニットに接続される複数の室外ユニットの動作を連動させることができる空気調和装置を提供することを目的とする。
【課題を解決するための手段】
【０００６】
上記目的を達成するために、本発明は、単一の筐体内に複数の冷媒回路を有する複回路形室内ユニットと、この複回路形室内ユニットの各冷媒回路にそれぞれ接続される複数の室外ユニットとを備える空気調和装置において、前記室外ユニットは、それぞれ室外制御基板を備え、当該室外制御基板は、自ユニットが接続された前記冷媒回路のアドレスを取得し、このアドレスに従って、当該自ユニットが主ユニットもしくは従ユニットのいずれであるかを判別する判別プログラムと、前記自ユニットが従ユニットと判別された場合に、当該自ユニットの動作を前記主ユニットの動作と連動制御させるための制御プログラムとが格納された記憶部と、前記判別プログラム及び制御プログラムをそれぞれ実行可能な制御部とを備え、前記従ユニットと判別された前記室外ユニットの制御部は、前記主ユニットの動作を判別し、当該従ユニットの前記記憶部に記憶された前記制御プログラムによりこの主ユニットの動作と連動制御することを特徴とする。
【０００７】
この構成によれば、制御部が判別プログラムを実行することにより、室外ユニットの主従関係が自動的に判別・設定されるため、この設定作業を容易に行うことができる。また、従ユニットと判別された前記室外ユニットの制御部が制御プログラムを実行することにより、自ユニットが従ユニットと判別された場合に、当該自ユニットの動作を前記主ユニットの動作と連動制御させることができ、簡単な構成で複回路形室内ユニットに接続される複数の室外ユニットの動作を連動させることができる。
【０００８】
この構成において、前記記憶部は、書き換え可能な不揮発性記憶部としても良い。また、前記従ユニットと判別された前記室外ユニットの制御部は、前記主ユニットがサーモオフした場合に、これに連動して前記自ユニットをサーモオフし、前記主ユニットがサーモオンした場合に、これに連動して前記自ユニットをサーモオンさせても良い。
【０００９】
また、前記従ユニットと判別された前記室外ユニットの制御部は、前記主ユニットが除霜運転に移行した場合に、これに連動して前記自ユニットを除霜運転させても良い。また、前記従ユニットと判別された前記室外ユニットの制御部は、前記主ユニットが異常警報により空調運転を停止した場合に、これに連動して前記自ユニットの空調運転を停止させても良い。また、前記従ユニットと判別された前記室外ユニットの制御部は、前記主ユニットが外部から受信した電力デマンド情報に基づいて、空調運転を停止した場合に、これに連動して前記自ユニットの空調運転を停止させても良い。
【発明の効果】
【００１０】
本発明によれば、室外ユニットの主従関係が自動的に判別・設定されるため、この設定作業を容易に行うことができる。また、自ユニットが従ユニットと判別された場合に、当該自ユニットの動作を前記主ユニットの動作と連動制御させることができ、簡単な構成で複回路形室内ユニットに接続される複数の室外ユニットの動作を連動させることができる。
【図面の簡単な説明】
【００１１】
【図１】空気調和装置の具体的構成を示す概略図である。
【図２】室外側ＥＣＵの構成を示すブロック図である。
【図３】室外ユニットの主従を判別する動作手順を示すフローチャートである。
【図４】サーモオンを連動させる動作手順を示すフローチャートである。
【図５】サーモオフを連動させる動作手順を示すフローチャートである。
【図６】除霜運転を連動させる動作手順を示すフローチャートである。
【図７】警報による運転停止を連動させる動作手順を示すフローチャートである。
【図８】集中コントローラから受信された電力デマンド情報による運転停止を連動させる動作手順を示すフローチャートである。
【発明を実施するための形態】
【００１２】
以下、本発明の一実施の形態について、図面を参照して説明する。
図１は、空気調和装置１０の具体的構成を示す概略図である。尚、図１中には、実線で冷媒回路を示し、一点鎖線で通信・電気回路を示してある。
【００１３】
図１に示したように、空気調和装置１０は、単一の室内ユニット１１と、この室内ユニット１１に接続される２台の室外ユニット１２Ａ，１２Ｂとを備えて構成されている。室内ユニット１１は、筐体１内に２つの冷媒回路１１ａ，１１ｂを有する複回路形室内ユニットであり、各冷媒回路１１ａ，１１ｂは、それぞれ室内熱交換器６と電動膨張弁９とを冷媒配管３５で接続して構成され、当該冷媒回路１１ａ，１１ｂにそれぞれ室外ユニット１２Ａ，１２Ｂが接続される。各冷媒回路１１ａ，１１ｂには、室内熱交換器６に隣接して電動ファン７が配置されている。
また、室内ユニット１１内には、ＣＰＵを始め、入出力インタフェースやＲＯＭ、ＲＡＭ、ＥＥＰＲＯＭ等から構成された、室内側コントロールユニット（以下、室内側ＥＣＵと記す）４１が設置されている。この室内側ＥＣＵ４１は、各冷媒回路１１ａ，１１ｂに対応して２台設置され、それぞれ電動ファン７、電動膨張弁９、室温を検出する室温センサ４３、室内熱交換器６からの吹出温度を検出する吹出温センサ４５等が接続されている。
【００１４】
また、室外ユニット１２Ａ，１２Ｂは、それぞれ圧縮機１３、電磁式の四方弁１５、室外熱交換器１７、電動ファン１９、アキュムレータ２１、レシーバタンク２３等が設置されている。これら冷媒回路を構成する各機器は、ガス冷媒あるいは液冷媒の流通に供される冷媒配管３１〜３８により接続されている。また、室外ユニット１２Ａ，１２Ｂ内には、それぞれ室外ユニット１２Ａ，１２Ｂの動作を制御する室外側コントロールユニット（以下、室外側ＥＣＵと記す：室外制御基板）５１が設置されている。これら室外側ＥＣＵ５１は、同一の構成を有して共通化されるものであり、各室外側ＥＣＵ５１には、圧縮機１３、四方弁１５、電動ファン１９、外気温を検出する外気温センサ８５等が接続されている。
【００１５】
室内ユニット１１の室内側ＥＣＵ４１，４１と、各室外ユニット１２Ａ，１２Ｂの室外側ＥＣＵ５１，５１とは、室内外通信バスライン２により接続されており、シリアル通信により信号の授受を行う。この室内外通信バスライン２には、集中コントローラ（図示略）が接続されており、この集中コントローラから電力デマンド情報が送信される。
また、冷媒回路１１ａに対応する室内側ＥＣＵ４１にはリモコン５が接続しており、ユーザによる運転／停止や温度調節等の運転指令の入力が行われる。また、室内ユニット１１内の冷媒回路１１ａ，１１ｂには、予めアドレス番号が付与されており、本実施形態では、リモコン５が接続されている一方の冷媒回路１１ａのアドレス番号を１とし、他方の冷媒回路１１ｂのアドレス番号を２と設定されている。このアドレス番号は、室外ユニット１２Ａ，１２Ｂの主従関係を設定する際に用いられる。
【００１６】
次に、空調運転時における冷媒の流れを説明する。
冷房運転時には、室外ユニット１２Ａ，１２Ｂ内では、冷媒配管３８から圧縮機１３に吸引されたガス冷媒が、断熱圧縮により高温高圧となって圧縮機１３から吐出され、冷媒配管３１、四方弁１５、冷媒配管３２を経由して室外熱交換器１７に流入する。高温高圧のガス冷媒は、室外熱交換器１７内を通過する間に外気により冷却され、凝縮することにより液冷媒となった後、冷媒配管３３、レシーバタンク２３、冷媒配管３４を経由して室内ユニット１１の各冷媒回路１１ａ，１１ｂの電動膨張弁９に流入する。
液冷媒は、電動膨張弁９で流量を調整された後、冷媒配管３５を経由して室内熱交換器６に流入する。液冷媒は、室内熱交換器６内を通過する間に気化してガス冷媒となり、気化潜熱により電動ファン７が送風した室内空気を冷却する。室内熱交換器６内で気化したガス冷媒は、冷媒配管３６から室外ユニット１２Ａ，１２Ｂ内の四方弁１５、冷媒配管３７を経由してアキュムレータ２１に流入し、冷媒配管３８から再び圧縮機１３に吸引される。
一方、暖房運転時には、室外ユニット１２Ａ，１２Ｂ内では、冷媒配管３８から圧縮機１３に吸引されたガス冷媒が、断熱圧縮により高温高圧となって圧縮機１３から吐出され、冷媒配管３１、四方弁１５、冷媒配管３６を経由して、室内ユニット１１の各冷媒回路１１ａ，１１ｂの室内熱交換器６に流入する。高温高圧のガス冷媒は、室外熱交換器１７内を通過する間に電動ファン７からの送風により冷却され、凝縮することにより液冷媒となる。また、電動ファン７から送風された空気は、高温高圧のガス冷媒の温熱により加熱され、この空気が室内に吹き出されることで室内を暖房する。
液冷媒は、電動膨張弁９で流量を調整された後、冷媒配管３４、レシーバタンク２３、冷媒配管３３を経由して室外熱交換器１７に流入する。液冷媒は、室外熱交換器１７内を通過する間に気化してガス冷媒となり、冷媒配管３２、四方弁１５、冷媒配管３７を経由してアキュムレータ２１に流入し、冷媒配管３８から再び圧縮機１３に吸引される。
【００１７】
次に、室外側ＥＣＵ５１は、図２に示すように、ＣＰＵ（制御部）５２を始め、ＲＡＭ５３、ＲＯＭ５４、ＥＥＰＲＯＭ（記憶部、不揮発性記憶部）５５、入出力インタフェース５６及び通信インタフェース５７を備えて構成されている。ＣＰＵは、ＲＯＭ５４に記憶された空調動作の動作プログラム等の各種データを読み出し、リモコン５を介して入力されたユーザ指示に応じて、空気調和装置１０の各部の制御処理を行う。ＲＡＭ５３は、ＣＰＵ３０のワークエリアに使用されるメモリであり、ＥＥＰＲＯＭ５５は、不揮発性メモリであり、室外ユニット１２Ａ，１２Ｂの電源がオフの間も、電池等でバックアップされてメモリ内容を保持する。
本実施形態では、ＥＥＰＲＯＭ５５には、室外ユニット１２Ａ，１２Ｂの主従を判別するための判別プログラム６０及び従ユニットとして判別された室外ユニットを主ユニットとして判別された室外ユニットの動作に連動制御させるための制御プログラム６１とが格納されている。これら判別プログラム６０及び制御プログラム６１は、書き換え自在なＥＥＰＲＯＭ５５に格納されているため、このＥＥＰＲＯＭ５５に格納されるプログラムを変更することで、室外側ＥＣＵ５１を共通化しつつ、多様な室外ユニットの動作に対応することができ、室外ユニットの汎用性を高めることができる。
また、入出力インタフェース５６は、室外側ＥＣＵ５１に接続される各機器（例えば、圧縮機１３、四方弁１５、電動ファン１９、外気温センサ８５等）に対して信号の入出力を行う。通信インタフェース５７は、室内外通信バスライン２を介して、他の室外側ＥＣＵ５１及び室内側ＥＣＵ４１，４１とシリアル通信により信号の授受を行う。本実施形態では、室外側ＥＣＵ５１，５１間で所定時間（例えば１秒）ごとに定期的に通信を行い、その通信のタイミングに合わせて上記制御プログラム６１がＣＰＵ５２により実行される。
【００１８】
次に、室外ユニット１２Ａ，１２Ｂの主従を判別する判別動作について説明する。この動作は、空気調和装置１０の設置時等のように、主電源の投入時に実行される。図３は、この判別動作の手順を示すフローチャートである。
まず、主電源が投入される（ステップＳ１）と、室外側ＥＣＵ５１のＣＰＵ５２は、ＥＥＰＲＯＭ５５から判別プログラム６０を読み出し（ステップＳ２）、この判別プログラム６０に基づいて、自ユニットが接続されている冷媒回路のアドレス番号を取得する（ステップＳ３）。上述のように、冷媒回路１１ａ，１１ｂには、予めアドレス番号が付与されており、ＣＰＵ５２は、室内外通信バスライン２を通じて室内側ＥＣＵ４１と通信し、当該室内側ＥＣＵ４１に対応する冷媒回路のアドレス番号を取得する。
【００１９】
続いて、ＣＰＵ５２は、取得したアドレス番号が１であるか否かを判別する（ステップＳ４）。この判別において、取得したアドレス番号が１である場合（ステップＳ４；Ｙｅｓ）には、ＣＰＵ５２は、自ユニットを主ユニットとして設定し（ステップＳ５）、取得したアドレス番号が１でない、すなわち２である場合（ステップＳ４；Ｎｏ）には、自ユニットを従ユニットとして設定（ステップＳ６）して処理を終了する。本実施形態では、上述のように、リモコン５が接続されている室内側ＥＣＵ４１に対応する冷媒回路１１ａのアドレス番号を１として設定しているため、図１に示すように、一方の室外ユニット１２Ａが主ユニットとなり、他方の室外ユニット１２Ｂが従ユニットとして動作する。
この構成では、主電源を投入した際に、室外ユニット１２Ａ，１２Ｂの主従関係が自動的に判別・設定されるため、この設定作業を容易に行うことができる。
【００２０】
次に、従ユニットとして判別された室外ユニット１２Ｂを主ユニットとして判別された室外ユニット１２Ａの動作に連動制御させる動作について説明する。この動作は、空調運転時に室外ユニット１２Ａ，１２Ｂ間で定期的に通信が行われるタイミングに合わせて、室外ユニット１２Ｂの室外側ＥＣＵ５１が行う。また、この動作の制御プログラム６１は、図４〜図８に示す複数のサブルーチンとして構成され、各サブルーチンが並列して実行される。
【００２１】
図４は、サーモオンを連動させる動作手順を示すフローチャートである。
まず、従ユニットである室外側ＥＣＵ５１のＣＰＵ５２は、自ユニット（室外ユニット１２Ｂ）が空調運転中であるか否かを判別する（ステップＳ１１）。この判別において、自ユニットが空調運転中である場合（ステップＳ１１；Ｙｅｓ）には、処理を終了する。一方、自ユニットが空調運転中でない、すなわちサーモオフによる運転停止中である場合（ステップＳ１１；Ｎｏ）には、ＣＰＵ５２は、定期通信の際に主ユニットである室外ユニット１２Ａの情報を取得し（ステップＳ１２）、この室外ユニット１２Ａがサーモオンしたか否かを判別する（ステップＳ１３）。この判別において、室外ユニット１２Ａがサーモオンしていなければ（ステップＳ１３；Ｎｏ）、ＣＰＵ５２は、そのまま処理を終了する。一方、室外ユニット１２Ａがサーモオンした場合（ステップＳ１３；Ｙｅｓ）には、ＣＰＵ５２は、室外ユニット１２Ｂを強制的にサーモオン（ステップＳ１４）させて処理を終了する。
【００２２】
図５は、サーモオフを連動させる動作手順を示すフローチャートである。
まず、従ユニットである室外側ＥＣＵ５１のＣＰＵ５２は、自ユニット（室外ユニット１２Ｂ）が空調運転中であるか否かを判別する（ステップＳ２１）。この判別において、自ユニットが空調運転中でない、すなわちサーモオフによる運転停止中である場合（ステップＳ２１；Ｎｏ）には、処理を終了する。一方、自ユニットが空調運転中である場合（ステップＳ２１；Ｙｅｓ）には、ＣＰＵ５２は、定期通信の際に主ユニットである室外ユニット１２Ａの情報を取得し（ステップＳ２２）、この室外ユニット１２Ａがサーモオフしたか否かを判別する（ステップＳ２３）。この判別において、室外ユニット１２Ａがサーモオフしていなければ（ステップＳ２３；Ｎｏ）、ＣＰＵ５２は、そのまま処理を終了する。一方、室外ユニット１２Ａがサーモオフした場合（ステップＳ２３；Ｙｅｓ）には、ＣＰＵ５２は、室外ユニット１２Ｂを強制的にサーモオフ（ステップＳ２４）させて処理を終了する。
【００２３】
図６は、除霜運転を連動させる動作手順を示すフローチャートである。
まず、従ユニットである室外側ＥＣＵ５１のＣＰＵ５２は、自ユニット（室外ユニット１２Ｂ）が除霜運転中であるか否かを判別する（ステップＳ３１）。この判別において、自ユニットが除霜運転中である場合（ステップＳ３１；Ｙｅｓ）には、処理を終了する。一方、自ユニットが除霜運転中でない、すなわち空調運転中である場合（ステップＳ３１；Ｎｏ）には、ＣＰＵ５２は、定期通信の際に主ユニットである室外ユニット１２Ａの情報を取得し（ステップＳ３２）、この室外ユニット１２Ａが除霜運転を開始したか否かを判別する（ステップＳ３３）。この判別において、室外ユニット１２Ａが除霜運転を開始していない、すなわち空調運転を実行している場合（ステップＳ３３；Ｎｏ）には、ＣＰＵ５２は、そのまま処理を終了する。一方、室外ユニット１２Ａが除霜運転を開始した場合（ステップＳ３３；Ｙｅｓ）には、ＣＰＵ５２は、室外ユニット１２Ｂの除霜運転を強制的に開始して（ステップＳ３４）処理を終了する。
【００２４】
図７は、警報による運転停止を連動させる動作手順を示すフローチャートである。
まず、従ユニットである室外側ＥＣＵ５１のＣＰＵ５２は、自ユニット（室外ユニット１２Ｂ）が空調運転中であるか否かを判別する（ステップＳ４１）。この判別において、自ユニットが空調運転中でない、すなわちサーモオフによる運転停止中である場合（ステップＳ４１；Ｎｏ）には、処理を終了する。一方、自ユニットが空調運転中である場合（ステップＳ４１；Ｙｅｓ）には、ＣＰＵ５２は、定期通信の際に主ユニットである室外ユニット１２Ａの情報を取得し（ステップＳ４２）、この室外ユニット１２Ａが異常警報により空調運転を停止したか否かを判別する（ステップＳ４３）。この場合、異常警報は、室外ユニット１２Ａ内の機器のみならず、この室外ユニット１２Ａに接続される冷媒回路１１ａの構成機器及び周辺機器の異常警報を含むものとする。この判別において、室外ユニット１２Ａが異常警報により空調運転を停止していなければ（ステップＳ４３；Ｎｏ）、ＣＰＵ５２は、そのまま処理を終了する。一方、室外ユニット１２Ａが異常警報により空調運転を停止した場合（ステップＳ４３；Ｙｅｓ）には、ＣＰＵ５２は、室外ユニット１２Ｂの空調運転を強制的に停止させて（ステップＳ４４）処理を終了する。
【００２５】
図８は、集中コントローラから受信された電力デマンド情報による運転停止を連動させる動作手順を示すフローチャートである。
まず、従ユニットである室外側ＥＣＵ５１のＣＰＵ５２は、自ユニット（室外ユニット１２Ｂ）が空調運転中であるか否かを判別する（ステップＳ５１）。この判別において、自ユニットが空調運転中でない、すなわちサーモオフによる運転停止中である場合（ステップＳ５１；Ｎｏ）には、処理を終了する。一方、自ユニットが空調運転中である場合（ステップＳ５１；Ｙｅｓ）には、ＣＰＵ５２は、定期通信の際に主ユニットである室外ユニット１２Ａの情報を取得し（ステップＳ５２）、この室外ユニット１２Ａが電力デマンド情報により空調運転を停止したか否かを判別する（ステップＳ５３）。ここで、電力デマンド情報により空調運転を停止するとは、受信した電力デマンドが所定の閾値を超えているために、電力消費量を削減するために空調運転を停止することをいう。この判別において、室外ユニット１２Ａが電力デマンド情報により空調運転を停止していなければ（ステップＳ５３；Ｎｏ）、ＣＰＵ５２は、そのまま処理を終了する。一方、室外ユニット１２Ａが電力デマンド情報により空調運転を停止した場合（ステップＳ５３；Ｙｅｓ）には、ＣＰＵ５２は、室外ユニット１２Ｂの空調運転を強制的に停止させて（ステップＳ５４）処理を終了する。
【００２６】
このように、本実施形態によれば、単一の筐体１内に複数の冷媒回路１１ａ，１１ｂを有する複回路形の空気調和装置１０と、この空気調和装置１０の各冷媒回路１１ａ，１１ｂにそれぞれ接続される室外ユニット１２Ａ，１２Ｂとを備え、これら室外ユニット１２Ａ，１２Ｂは、それぞれ共通の室外側ＥＣＵ５１，５１を備え、当該室外側ＥＣＵ５１，５１は、自ユニットが接続された冷媒回路のアドレスを取得し、このアドレスに従って、当該自ユニットが主ユニットもしくは従ユニットのいずれであるかを判別する判別プログラム６０と、自ユニットが従ユニットと判別された場合に、当該自ユニットの動作を主ユニットの動作と連動制御させるための制御プログラム６１とが格納されたＥＥＰＲＯＭ５５と、判別プログラム６０及び制御プログラム６１をそれぞれ実行可能なＣＰＵ５２とを備えるため、ＣＰＵ５２が判別プログラム６０を実行することにより、室外ユニット１２Ａ，１２Ｂの主従関係が自動的に判別・設定され、この設定作業を容易に行うことができる。また、ＣＰＵ５２が制御プログラム６１を実行することにより、自ユニットが従ユニットと判別された場合に、当該自ユニットの動作を主ユニットの動作と連動制御させることができ、簡単な構成で複回路形の空気調和装置１０に接続される室外ユニット１２Ａ，１２Ｂの動作を連動させることができる。
更に、これら判別プログラム６０及び制御プログラム６１は、書き換え可能なＥＥＰＲＯＭ５５に格納されているため、これら判別プログラム６０及び制御プログラム６１が格納されていない状態では、室外側ＥＣＵ５１を他の空気調和装置の室外ユニットのものに転用することができ、室外側ＥＣＵ５１及び室外ユニットの汎用性を高めることができる。
【００２７】
また、本実施形態では、室外ユニット１２Ａ，１２Ｂ同士を定期的に通信させ、この通信させた際に、従ユニットの動作を主ユニットの動作に連動させるようにしているため、主ユニット側から都度、指令信号を送信するように構成する必要はなく、従ユニット側の制御プログラムだけで室外ユニット１２Ａ，１２Ｂ同士を連動させることができる。
【００２８】
また、本実施形態では、従ユニットの動作を主ユニットの動作に連動させることで、主ユニットと従ユニットとが同時に運転または停止されるため、両室外ユニット間で運転時間に相違が生じなくなり、メインテナンス作業が適切に行えると共に、一方の室外ユニットの圧縮機のみ寿命が短くなることもなくなる。
【００２９】
以上、本発明を本実施形態に基づいて説明したが、本発明はこれに限定されるものではない。例えば、本実施形態では、主ユニットが異常警報で空調運転を停止した場合には、これに連動して従ユニットの空調運転を停止しているが、従ユニットが異常警報により空調運転を停止した場合には、これに連動して主ユニットの空調運転を停止するように構成しても良い。
また、本実施形態では、２つの冷媒回路１１ａ，１１ｂを有する複回路形の空気調和装置１０を有する空気調和装置について説明したが、３つ以上の冷媒回路を有する複回路形の室内ユニットを有するものに適用してもよい。
【符号の説明】
【００３０】
１  筐体
２  室内外通信バスライン
５  リモコン
１０  空気調和装置
１１  室内ユニット（複回路形室内ユニット）
１１ａ  冷媒回路
１１ｂ  冷媒回路
１２Ａ  室外ユニット（主ユニット）
１２Ｂ  室外ユニット（従ユニット、自ユニット）
４１  室内側ＥＣＵ
５１  室外側ＥＣＵ（室外制御基板）
５２  ＣＰＵ（制御部）
５３  ＲＡＭ
５４  ＲＯＭ
５５  ＥＥＰＲＯＭ（記憶部、不揮発性記憶部）
６０  判別プログラム
６１  制御プログラム
【図１】
0005646303.tif 000002
【図２】
0005646303.tif 000003
【図３】
0005646303.tif 000004
【図４】
0005646303.tif 000005
【図５】
0005646303.tif 000006
【図６】
0005646303.tif 000007
【図７】
0005646303.tif 000008
【図８】
0005646303.tif 000009